(57)【要約】      （修正有）【課題】胸部から腰部にかけてのストレッチ効果を手軽に得ることができる背当て体の提供。【解決手段】背当て体１は、ウレタンスポンジ製で弾力性を有するクッション部２の上に、綿布製の内袋体４にそば殻３ａの粒状体が詰められてなる粒状部３が上下に積層され、綿布製の外袋体５に収容されて構成され、長尺で背高の枕状を呈する背当て体である。背当て体１は、長手方向に沿って上に横臥した人体Ｔの肩幅より幅寸法が小さく、上側角部８が丸くなっていて中央から左右両端部に向けて高さ寸法Ｈが次第に小さくなるかまぼこ状を呈し、人体Ｔの頭部Ａ乃至腰部Ｃを支持し、腕Ｅ及び脚Ｆが胸部Ｇよりも下がった状態で保持する。【選択図】図２
0003154485.tif 000002
【実用新案登録請求の範囲】
【請求項１】
弾力性を有するクッション部と、
多数の粒状体が内袋体に袋詰めされてなる粒状部と、
前記クッション部及び前記粒状部を上下に積層して収容する外袋体と
を具備して構成され、
長手方向に沿って上に仰臥した人体の胸部乃至腰部を支持可能な長尺の枕状を呈する
ことを特徴とする背当て体。
【請求項２】
前記長手方向の長さ寸法は、６００ｍｍ以上９００ｍｍ以下であり、前記長手方向に直交する方向の幅寸法は、２００ｍｍ以上４００ｍｍ以下であり、高さ寸法は、最大部において１００ｍｍ以上２００ｍｍ以下であることを特徴とする請求項１に記載の背当て体。
【請求項３】
前記粒状部は、中央から左右両端に向けて前記高さ寸法が漸減するかまぼこ状を呈し、前記クッション部の上方に積層されている
ことを特徴とする請求項２に記載の背当て体。
【請求項４】
前記粒状体は、そば殻であることを特徴とする請求項１乃至請求項３に記載の背当て体。
【考案の詳細な説明】
【技術分野】
【０００１】
本考案は、ストレッチ運動をする時に使用する背当て体に関するものである。
【背景技術】
【０００２】
日常生活においてデスクワークなどで前かがみになって長時間労働をすると、胸部や腰部の筋肉の疲労や血行不良などの健康被害が生じることがある。これに対し、筋肉の凝りをほぐすために体を伸ばすストレッチ体操が一般に行われているが、ストレッチ体操を行うと疲労感をともなうため、ストレッチ体操よりも楽に筋肉の凝りをほぐす効果を得られる道具が求められていた。
【０００３】
これに対し、特許文献１によれば、人体の筋肉を伸張する効果のあるマットが提案されている。特許文献１のマットは、マット本体と、マット本体から着脱可能な枕とが、いずれも上向きに凸なカーブを描く断面形状を呈しており、マットの上に横たわると、頭部が若干後傾して支持されて頚椎が少し反った自然なカーブとなるとともに、体幹は背中が反った状態で支持されるので、胸部から首にかけての筋肉が伸張されて凝りが和らげられる。
【考案の概要】
【考案が解決しようとする課題】
【０００４】
しかし、特許文献１のマットでは、首から腰にかけて体の中心線に沿う向きで身体が伸び、背中が反って胸部の筋肉が上下方向に伸張されるが、左右方向にはほとんど伸張されなかった。このため、胸部の筋肉に懲りが生じているときは、依然としてストレッチ体操などを併用しなくては十分にほぐすことが出来なかった。また、特許文献１のマットは、仰向けに寝る場合に対応する形状に形成されており、体の前面の筋肉の伸張以外の用途には適さなかった。
【０００５】
さらに、特許文献１のマットによれば、マット本体と枕との組合せからなるため、使用時には使用者の体格に応じてマット本体及び枕の位置を調節して設置する必要があり、利用が面倒であった。
【０００６】
そこで、本考案は、上記の実状に鑑み、簡素な構成であって、身体の各部のストレッチ効果を得るために手軽に利用できる背当て体の提供を課題とする。
【課題を解決するための手段】
【０００７】
本考案の背当て体は、「弾力性を有するクッション部と、
多数の粒状体が内袋体に袋詰めされてなる粒状部と、
前記クッション部及び前記粒状部を上下に積層して収容する外袋体と
を具備して構成され、
長手方向に沿って上に仰臥した人体の胸部乃至腰部を支持可能な長尺の枕状を呈する」ことを特徴とする。
【０００８】
使用者が本考案の背当て体の上に仰臥すると、使用者の胸部乃至腰部にかけての範囲が脚部及び腕部よりも高い位置で支持されるので、使用者の体幹は背面側に反る。ひいては、首から腰にかけての体の前面側の筋肉を伸ばすストレッチ効果を得ることができる。
【０００９】
また、本考案の背当て体によれば、弾力性のあるクッション部と、粒状体を袋詰めして構成された粒状部とを積層してなるので、クッション部の弾力性によって柔らかく心地よい使用感が得られるとともに、粒状部は形状を保持する性質が高く型崩れしにくい。粒状部は、押圧されると圧力の分布に応じて変形するが、個々の粒状体は潰れにくく、粒状部全体の体積及びおおよその形状は保たれる。従って、粒状部を上にした本考案の背当て体の上に使用者が仰臥した時に、圧力分布に応じて粒状部が変形し、潰れることなく高さを保った状態で背中に対応した形になり、人体をしっかりと支持することができる。
【００１０】
さらに、本考案の背当て体は、クッション部及び粒状部を外袋体の中に積層して収容し、全体が１個にまとまっているので、設置にあたって複数の部材同士の位置決めをする必要がなく、手軽に使用できる。
【００１１】
また、本考案の背当て体によれば、人体の胸部乃至腰部までを支持する長さの長尺の枕状であるので、抱き枕として使用することもできる。また、長手方向に沿って上に仰臥するだけでなく、背当て体の向きを変えて横向きにして使用すると、腰部のみ、あるいは脚部のみを支持することもでき、上記の使用方法による場合とは異なる部位のストレッチ効果やリラックス効果を得ることができる。
【００１２】
さらに、本考案の背当て体は、「前記長手方向の長さ寸法は、６００ｍｍ以上９００ｍｍ以下であり、前記長手方向に直交する方向の幅寸法は、２００ｍｍ以上４００ｍｍ以下であり、高さ寸法は、最大部において１００ｍｍ以上２００ｍｍ以下である」ものとすることが望ましい。
【００１３】
長さ寸法が前記範囲内であれば、１４０〜１８０ｃｍ程度の身長である一般的な成人の人体の頭部から腰部にかけての範囲を支持するために好適である。これにより、頭部及び脚部が胸部周辺よりも下がった状態とし、人体が背面側に反った姿勢を保ち、首から大腿にかけての前面側の筋肉を上下方向に伸張させることができる。幅寸法が前記範囲内であれば、上に仰臥した人体の脊椎周辺を支持した時に、体側が重力によって下がることにより、胸部から腰部にかけての前面側の筋肉を左右方向に伸張させることができる。そして、高さ寸法が前記範囲内であると、上に仰臥した際の筋肉を伸張させる強度を適切なものとすることができる。従って、長さ寸法、幅寸法、及び高さ寸法が上記の範囲であれば、上に仰臥した人体の首から大腿にかけての筋肉を上下左右に適切な強度で伸張することができる。
【００１４】
また、本考案の背当て体は、「前記粒状部は、中央から左右両端に向けて前記高さ寸法が漸減するかまぼこ状を呈し、前記クッション部の上方に積層されている」ものとしてもよい。
【００１５】
本構成によれば、背当て体の上部はかまぼこ状を呈しており、使用者が上に仰臥すると、上面の形状に従って両肩が下がり胸部の筋肉が左右方向に伸張される。また、背当て体の上面が平面状である場合と比較すると、背当て体の角が背中に当ることがなく、背中と背当て体との間の圧力分布の偏りが小さくなる。そして、背中に当接する側に粒状部が位置しているので、背当て体の上面の曲面形状が崩れることなく保持される。
【００１６】
また、粒状部は隙間が多く通気性に優れているので、使用中に使用者が背中に汗をかいた際にも湿気がこもりにくく、べたべたした感触による不快感を生じさせにくい。そして、クッション部があるので、全体として適度な柔らかさを生じさせる。
【００１７】
さらに、本考案の背当て体は、「前記粒状体は、そば殻である」ものとすると好適である。
【００１８】
本構成によれば、粒状体は植物由来の天然素材のそば殻であり、粒状体の隙間の通気性に加えて吸湿性があり、長時間使用した場合にも熱気や湿気で不快感を与える虞を防ぐ。また、プラスチック製の粒状体を使用する場合と比較すると、使用時等に粒状体が擦れても異音や不快な静電気を生じさせにくく、快適に使用可能である。
【考案の効果】
【００１９】
このように、本考案によれば、クッション部及び粒状部を外袋体に収容した簡素な構造であって、設置する向きを変えたりして身体の支持方法を変えて使用することで、身体の各部のストレッチ効果を手軽に得ることができる背当て体を提供することができる。
【図面の簡単な説明】
【００２０】
【図１】（ａ）背当て体を示す斜視図である。（ｂ）背当て体の横断面を示す断面図である。
【図２】背当て体の使用状態を示す説明図である。
【図３】背当て体の他の使用状態を示す説明図である。
【考案を実施するための形態】
【００２１】
以下、本考案の一実施形態である背当て体１について、図１〜図３に基き説明する。図１（ａ）は、本考案の背当て体１を示す斜視図であり、図１（ｂ）は、背当て体１の横断面を示す断面図であり、図２（ａ），（ｂ）は、背当て体１の使用状態を示す説明図であり、図３（ａ），（ｂ）は、背当て体１の他の使用状態を示す説明図である。
【００２２】
図１に示すように、背当て体１は、クッション部２と、粒状部３とが、綿布製の外袋体５に収容されて構成されている。クッション部２は、幅３００ｍｍ、長さ６５０ｍｍ、厚さ８０ｍｍの略直方体状を呈する発泡ウレタン製のスポンジからなる。クッション部２の上に位置する粒状部３は、綿布製の内袋体４の中にそば殻３ａを詰めたものであり、幅３００ｍｍ、長さ６５０ｍｍ、厚さ５０ｍｍであって、上面が曲面になっており、かまぼこ状を呈する。ここで、そば殻３ａが、本考案の粒状体に相当する。
【００２３】
外袋体５は綿布製の収縮性が小さい袋であって、膨らませた状態では上部がかまぼこ状となる長尺の枕状を呈する。外袋体５は、クッション部２及び粒状部３を積層した形状に対応しており、クッション部２及び粒状部３を積層して内部に収容すると、それぞれの位置がずれないように保持する。外袋体５の一長辺側の側面には、長手方向に沿ってファスナ７が設けられており、ファスナ７を開けてクッション部２及び粒状部３を出し入れすることができる。ファスナ７は側面に設けられているので、背当て体１の上に使用者が仰臥したときに、ファスナ７に人体Ｔが押圧されにくい。外袋体５の一短辺には、把手６が設けられている。把手６は帯状の綿布製で、両端部において外袋体５に縫い付けられており、把手６の中央と外袋体５との間に手を入れることができ、背当て体１を移動させる場合などに手指を把手６にかけて持つことができる。
【００２４】
クッション部２及び粒状部３は、クッション部２に対して粒状部３を上にして上下に積層され、ともに外袋体５の中に収容されて背当て体１を構成する。外袋体５は、クッション部２及び粒状部３を収容すると、幅寸法Ｗは３１０ｍｍ、長さ寸法Ｌは６６０ｍｍ、高さ寸法Ｈは１４０ｍｍとなる。クッション部２及び粒状部３を外袋体５の中に収容してファスナ７を閉じると、背当て体１は、上部がかまぼこ状であり、長尺で背高の枕のような外観を呈する。
【００２５】
以下、背当て体１の使用方法について、図２及び図３に基き説明する。図２（ａ），（ｂ）に示すように、１４０〜１８０ｃｍ程度の身長であって一般的な成人の身体的特徴を有する使用者が背当て体１の上に長手方向に沿って仰向けに横たわると、使用者の人体Ｔの頭部Ａ、背中Ｂ、腰部Ｃが背当て体１によって支えられる。背当て体１の長さ寸法Ｌは６６０ｍｍ、幅寸法Ｗは３１０ｍｍであり、長さ寸法Ｌは、人体Ｔの頭から腰にかけての範囲を支持するにはやや短く、幅寸法Ｗは、肩幅よりも狭い。背当て体１によって頭部Ａのやや下部が支えられ、首が若干後ろに反った状態となる。また、腰部Ｃは背当て体１によって支えられるが、脚Ｆは支えられていないので腰部Ｃよりも下方に下がり、腰部Ｃが後ろに反った状態となる。このとき、背当て体１の上面は、上側角部８が丸くなったかまぼこ状の曲面を呈しているので、背中Ｂは、図２（ｂ）に示すように、体幹から体側に向けて次第に背当て体１の高さが漸減し、脊椎を中心として肩幅よりも狭い範囲が主に支持され、肩Ｄ及び腕Ｅが下がって背中側に反った状態となる。このようにして、人体Ｔは、上下左右に背中側に反った状態で背当て体１によって支持される。背当て体１の高さ寸法Ｈは１４０ｍｍであるので、人体Ｔを背中側に反らせつつ、人体Ｔが後ろに反りすぎて筋肉や関節を傷めてしまう虞を防ぎ、適度な強度のストレッチ効果を得ることができる。
【００２６】
また、図３（ａ）に示すように、仰臥した人体Ｔの腰部Ｃの下に背当て体１を横向きに入れて腰部Ｃを人体Ｔの他の部位よりも高い位置で支持させることもできる。この使用法によれば、腰部Ｃ周辺を集中的に背面側に反らせ、腰部Ｃ周辺の前面側の筋肉をより強く伸張させる効果に加え、腰部Ｃ周辺の深層の筋肉を伸張させる効果も得られる。
【００２７】
さらに、図３（ｂ）に示すように、仰臥した人体Ｔの脚Ｆの下に入れて脚Ｆを人体Ｔの他の部位よりも高い位置で支持させることもできる。この使用法によれば、使用者は、長距離を歩いたりして脚部にうっ血や疲労が生じている時に、脚を高く持上げた状態で休息して効果的に疲労回復を図ることができる。なお、このような使用方法においては、背当て体１を裏返しにしてクッション部２が上になる向きにすると、やわらかいクッション部２が体に当接するので使用感が良くなる。
【００２８】
以上のように、本実施形態の背当て体１によれば、使用者が背当て体１の上に仰臥すると、使用者の頭部Ａ乃至腰部Ｃにかけての範囲が脚Ｆ及び腕Ｅよりも高い位置で支持されるので、使用者の人体Ｔの体幹は背面側に反る。ひいては、首から腰にかけての体の前面側の筋肉を伸ばすストレッチ効果を得ることができる。
【００２９】
また、本実施形態の背当て体１によれば、弾力性のあるクッション部２と、そば殻３ａを袋詰めして構成された粒状部３との２層からなるので、クッション部２の弾力性によって柔らかく心地よい使用感が得られるとともに、粒状部３は形状を保持する性質が高く、背当て体１のおおよその形状を保つので、圧力分布に応じて粒状部３が変形し、潰れることなく高さをほぼ保った状態で背中Ｂに対応した形になり、使用者の人体Ｔをしっかりと支持することができる。
【００３０】
また、本実施形態の背当て体１は、クッション部２及び粒状部３を外袋体５の中に収容して一体的に構成されており、全体が１個にまとまっているので、設置にあたって複数の部材の位置決めをする必要がなく、手軽に使用できる。
【００３１】
さらに、本実施形態の背当て体１は、背当て体１の向きを変えて横向きにして使用すると、腰部Ｃや脚Ｆのみを支持するようにして使用することもでき、上記の使用方法による場合とは異なる部位のストレッチ効果やリラックス効果を得ることができる。さらに、背当て体１を裏返してクッション部２を上にしてやわらかい部分が体に当るようにして心地よさを高めることもできる。また、人体Ｔの頭部Ａから腰部Ｃまでを支持する長さの長尺の枕状であるので、抱き枕として使用することもできる。椅子やソファと併用して、座った姿勢で背当て体１を腰部Ｃや背中Ｂに当てて使用してもよい。
【００３２】
背当て体１の上部はかまぼこ状を呈しており、使用者が背当て体１の上に仰臥すると上面の形状に従って両肩Ｄが下がり、胸部Ｇの筋肉が左右方向に伸張される。また、上面が曲面であるので背中Ｂと背当て体１との間の圧力分布の変化がなめらかになり偏りが小さくなる。つまり、角が背中Ｂに当接して痛みを生じさせたり、血行を阻害したりしないので使用感がよい上に、筋肉の伸張において部位による偏りが生じにくくなる。また、背中に当接する側に粒状部３が位置しているので、使用中も背当て体１の上面の曲面形状が崩れることなく保持される。
【００３３】
粒状部３は吸湿性を有する天然のそば殻３ａの集合であり、そば殻３ａの粒の間には隙間があって通気性に優れている。このため、使用中に使用者が汗をかいた際にも湿気がこもりにくく、べたべたした不快感を生じさせにくい。また、粒状部３の下側にはクッション部２があるので、全体として適度な柔らかさを生じさせる。
【００３４】
さらに、そば殻３ａは、植物由来の天然素材であり、粒状体の隙間の通気性に加えて吸湿性があり、長時間使用した場合にも熱気や湿気で不快感を与える虞を防ぐ。また、使用時等に粒状体が擦れても異音や不快な静電気を生じさせにくく、快適に使用可能である。使用時の弾力感や擦れたときに発する音も心地よさを与える。
【００３５】
背当て体１の長さ寸法Ｌが６００ｍｍ以上９００ｍｍ以下であれば、人体の頭部Ａの下部から腰部Ｃの上部にかけての範囲を支持するために好適である。頭部Ａが後傾し脚Ｆが胸部Ｇ周辺よりも下がった状態とし、人体Ｔが背面側に反った姿勢を保ち首から大腿にかけての前面側の筋肉を上下方向に伸張させることができる。幅寸法Ｗが２００ｍｍ以上４００ｍｍ以下であれば、上に仰臥した人体Ｔの脊椎周辺の背中Ｂを支持し、肩Ｄから腕Ｅにかけての体側が重力によって下がることにより胸部Ｇから腰部Ｃにかけての前面側の筋肉を左右方向に伸張させることができる。そして、高さ寸法Ｈが最大部において１００ｍｍ以上２００ｍｍ以下であると、背当て体１によって筋肉を伸張させる強度を適切なものとすることができる。従って、長さ寸法Ｌ、幅寸法Ｗ、及び高さ寸法Ｈが上記の範囲であれば、上に仰臥した人体Ｔの首から大腿にかけての筋肉を上下左右に適切な強度で伸張することができる。
【００３６】
以上、本考案について好適な実施形態を挙げて説明したが、本考案はこれらの実施形態に限定されるものではなく、以下に示すように、本考案の要旨を逸脱しない範囲において、種々の改良および変更が可能である。
【００３７】
すなわち、上記の実施形態では、クッション部２は、スポンジ状の発泡ウレタンであり、粒状部３は、そば殻３ａを内袋体４に詰めたものであったが、素材はこれらに限定されず、種々のものを採用することができる。例えば、スポンジ状の発泡ウレタンに代えて低反発ウレタン製マットや合成ゴム製マット等を使用してもよい。また、そば殻３ａではなくプラスチック製のビーズ、小パイプ等の粒状体を内袋体４に充填したものであってもよい。プラスチック製の粒状体を使用すると、材料が均質であって量産しやすい。外袋体５及び内袋体４についても、綿布製に限定されるものではなく、種々の布や網を素材として使用することができる。
【００３８】
また、本考案の背当て体の寸法は、上記の実施形態と同一に限定されるものではなく、異なる寸法としてもよい。例えば、高さ寸法Ｈを９０ｍｍとすると、筋肉を伸ばす強度がより小さくなり、高齢者や子供にも使用しやすいものとすることができる。同様に、長さ寸法Ｌ及び幅寸法Ｗについても、想定される使用者の体格等の身体特性に合わせて適宜設定することができる。
【００３９】
なお、高さ寸法Ｈについては、クッション部２または粒状部３のいずれか一方の厚みが異なる部材に交換することで高さ寸法Ｈを変化させることも可能である。例えば、上記実施形態では、クッション部２は厚みが８０ｍｍであったが、これを５０ｍｍのものに替えることで高さ寸法Ｈを３０ｍｍ減少させて１１０ｍｍとすることができる。
【００４０】
また、上記の実施形態では、ファスナ７が側面に設けられているものを示したが、これに限定されるものではなく、例えば底面にファスナ７が設けられているものであってもよい。ファスナ７が底面に設けられていると、抱き枕として使用した時に腕Ｅ等にファスナ７が押圧されにくくなる。また、ファスナ７を使用せず、ホックやボタン等で外袋体５を開閉可能とするものであってもよく、種々の構成とすることができる。
【符号の説明】
【００４１】
１  背当て体
２  クッション部
３  粒状部
３ａ  そば殻（粒状体）
４  内袋体
５  外袋体
Ｃ  腰部
Ｅ  腕
Ｆ  脚
Ｇ  胸部
Ｔ  人体
Ｈ  高さ寸法
Ｌ  長さ寸法
Ｗ  幅寸法
【先行技術文献】
【特許文献】
【００４２】
【特許文献１】特開２００７−１５９８１８号公報
【図１】
0003154485.tif 000003
【図２】
0003154485.tif 000004
【図３】
0003154485.tif 000005
【手続補正書】
【提出日】平成21年7月30日(2009.7.30)
【手続補正１】
【補正対象書類名】実用新案登録請求の範囲
【補正対象項目名】請求項４
【補正方法】変更
【補正の内容】
【請求項４】
前記粒状体は、そば殻であることを特徴とする請求項１乃至請求項３のいずれか一つに記載の背当て体。